(57)【要約】      （修正有）【課題】無線通信システムにおいてサイドリンク受信を処理する方法および装置を提供する。【解決手段】ＵＥ（ユーザ機器）は、サイドリンク無線ベアラのためのＰＤＣＰ（Packet  Data  Convergenece  Protocol）エンティティが確立される場合、サイドリンク送信に使用される状態変数を１に設定し、サイドリンク無線ベアラでのＰＤＣＰエンティティの真に最初のデータユニットのためのサイドリンク送信を実行する時、真に最初のデータユニットのシーケンス番号は状態変数に設定される。【選択図】図１８
2020005257.tif 000002
【特許請求の範囲】
【請求項１】
ＵＥ（ユーザ機器）がサイドリンク無線ベアラでサイドリンク送信を実行するための方法であって、
前記サイドリンク無線ベアラのためのＰＤＣＰ（Packet  Data  Convergence  Protocol）エンティティが確立される場合、サイドリンク送信に使用される状態変数を１に設定することと、
前記サイドリンク無線ベアラでの前記ＰＤＣＰエンティティの真に最初のデータユニットのための前記サイドリンク送信を実行することであって、該真に最初のデータユニットのシーケンス番号が前記状態変数に設定される、実行することと、を含む方法。
【請求項２】
重複が前記サイドリンク無線ベアラで有効である場合、前記状態変数を１に設定することをさらに含む、請求項１に記載の方法。
【請求項３】
重複が前記サイドリンク無線ベアラで無効である場合、前記状態変数を０に設定することをさらに含む、請求項１に記載の方法。
【請求項４】
第１の論理チャネルおよび第２の論理チャネルを確立することであって、該第１の論理チャネルおよび該第２の論理チャネルは、前記サイドリンク無線ベアラに関連付けられる、確立することをさらに含む、請求項１に記載の方法。
【請求項５】
重複データユニットを生成することであって、該重複データユニットは、前記真に最初のデータユニットの重複である、生成することと、
前記サイドリンク送信のために、前記真に最初のデータユニットを前記第１の論理チャネルに、前記重複データユニットを前記第２の論理チャネルに引き渡すことと、をさらに含む、請求項４に記載の方法。
【請求項６】
前記重複データユニットはＰＤＣＰ  ＰＤＵ（Protocol  Data  Unit）である、請求項５に記載の方法。
【請求項７】
前記状態変数はＮｅｘｔ＿ＰＤＣＰ＿ＴＸ＿ＳＮである、請求項１に記載の方法。
【請求項８】
前記シーケンス番号はＰＤＣＰシーケンス番号である、請求項１に記載の方法。
【請求項９】
前記データユニットはＰＤＣＰ  ＰＤＵ  （Protocol  Data  Unit）である、請求項１に記載の方法。
【請求項１０】
サイドリンク無線ベアラでサイドリンク送信を実行するＵＥ（ユーザ機器）であって、
制御回路と、
前記制御回路に設けられたプロセッサと、
前記制御回路内に設置され、前記プロセッサに動作可能に結合されたメモリと、を含み、
前記プロセッサは、前記メモリに記憶されたプログラムコードを実行して、
前記サイドリンク無線ベアラのためのＰＤＣＰ（Packet  Data  Convergence  Protocol）エンティティが確立される場合、サイドリンク送信に使用される状態変数を１に設定することと、
前記サイドリンク無線ベアラでの前記ＰＤＣＰエンティティの真に最初のデータユニットのための前記サイドリンク送信を実行することであって、該真に最初のデータユニットのシーケンス番号が前記状態変数に設定される、実行することと、
を行うように構成されている、ＵＥ。
【請求項１１】
前記プロセッサは前記メモリに記憶されているプログラムコードを実行して、
重複が前記サイドリンク無線ベアラで有効である場合、前記状態変数を１に設定することを行うように構成されている、請求項１０に記載のＵＥ。
【請求項１２】
前記プロセッサは前記メモリに記憶されているプログラムコードを実行して、
重複が前記サイドリンク無線ベアラで無効である場合、前記状態変数を０に設定することを行うように構成されている、請求項１０に記載のＵＥ。
【請求項１３】
前記プロセッサは前記メモリに記憶されているプログラムコードを実行して、
第１の論理チャネルおよび第２の論理チャネルを確立することであって、該第１の論理チャネルおよび該第２の論理チャネルは、前記サイドリンク無線ベアラに関連付けられる、確立することを行うように構成されている、請求項１０に記載のＵＥ。
【請求項１４】
前記プロセッサは前記メモリに記憶されているプログラムコードを実行して、
重複データユニットを生成することであって、該重複データユニットは、前記真に最初のデータユニットの重複である、生成することと、
前記サイドリンク送信のために、前記真に最初のデータユニットを前記第１の論理チャネルに、前記重複データユニットを前記第２の論理チャネルに引き渡すことと、を行うように構成されている、請求項１３に記載のＵＥ。
【請求項１５】
前記重複データユニットはＰＤＣＰ  ＰＤＵ（Protocol  Data  Unit）である、請求項１４に記載のＵＥ。
【請求項１６】
前記状態変数はＮｅｘｔ＿ＰＤＣＰ＿ＴＸ＿ＳＮである、請求項１０に記載のＵＥ。
【請求項１７】
前記シーケンス番号はＰＤＣＰシーケンス番号である、請求項１０に記載のＵＥ。
【請求項１８】
前記データユニットはＰＤＣＰ  ＰＤＵ  （Protocol  Data  Unit）である、請求項１０に記載のＵＥ。
【発明の詳細な説明】
【技術分野】
【０００１】
本願は、２０１８年６月２９日に出願された米国仮特許出願第６２／６９２，５４０号の利益を主張するものであり、そのすべての開示は全体として参照により本明細書に援用される。
【０００２】
この開示は、概して、無線通信ネットワークに関連し、より詳細には、無線通信システムにおいてサイドリンク受信を処理する方法および装置に関連する。
に関連する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、およびオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰおよびマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展および確定に向けて検討されている。
【発明の概要】
【０００５】
方法および装置は、ＵＥ（ユーザ機器）の観点から開示される。一実施形態では、本方法は、サイドリンク無線ベアラのためのＰＤＣＰ（Packet  Data  Convergenece  Protocol）エンティティが確立される場合、サイドリンク送信に使用される状態変数を１に設定することを含む。本方法はまた、サイドリンク無線ベアラでのＰＤＣＰエンティティの真に最初のデータユニットのためのサイドリンク送信を実行することを含み、真に最初のデータユニットのシーケンス番号は状態変数に設定される。
【図面の簡単な説明】
【０００６】
【図１】例示的な一実施形態による無線通信システムの図を示す。
【図２】例示的な一実施形態による送信機システム（アクセスネットワークとしても知られている）および受信機システム（ユーザ機器またはＵＥとしても知られている）のブロック図である。
【図３】例示的な一実施形態による通信デバイスの機能ブロック図である。
【図４】例示的な一実施形態による図３のプログラムコードの機能ブロック図である。
【図５】３ＧＰＰ  ＴＳ  ３６．３００  ｖ１５．１．０の図６−３の複製である。
【図６】３ＧＰＰ  ＴＳ  ３６．３００  ｖ１５．１．０の図２３．１０．２．１−１の複製である。
【図７】３ＧＰＰ  ＴＳ  ３６．３００  ｖ１５．１．０の図２３．１０．２．２−１の複製である。
【図８】３ＧＰＰ  ＴＳ  ３６．３００  ｖ１５．１．０の図２３．１０．２．２−２の複製である。
【図９】３ＧＰＰ  Ｒ２−１８０９２６５の図６．４−ｘの複製である。
【図１０】３ＧＰＰ  Ｒ２−１８０８９１６の表６．２．４−１の複製である。
【図１１】３ＧＰＰ  Ｒ２−１８０８９１６の表６．２．４−２の複製である。
【図１２】例示的な一実施形態による図である。
【図１３】例示的な一実施形態による図である。
【図１４】例示的な一実施形態による図である。
【図１５】例示的な一実施形態による図である。
【図１６】例示的な一実施形態による図である。
【図１７】例示的な一実施形態による図である。
【図１８】例示的な一実施形態によるフローチャートである。
【図１９】例示的な一実施形態によるフローチャートである。
【図２０】例示的な一実施形態によるフローチャートである。
【図２１】例示的な一実施形態によるフローチャートである。
【発明を実施するための形態】
【０００７】
以下に説明する例示的な無線通信システムおよびデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ若しくはＬＴＥ−アドバンスト（ロングタームエボリューションアドバンスト）、３ＧＰＰ２  ＵＭＢ（Ultra  Mobile  Broadband：超モバイル広帯域）、ＷｉＭａｘ、３ＧＰＰ  ＮＲ（Ｎｅｗ  Ｒａｄｉｏ）またはその他何らかの変調技術に基づいてよい。
【０００８】
特に、以下に説明する例示的な無線通信システムおよびデバイスは、本明細書において３ＧＰＰと呼ばれる「第３世代パートナーシッププロジェクト」という名称のコンソーシアムにより提示される標準などの１つ以上の標準をサポートするように設計されてよく、その標準は、TS  36.300  v15.1.0,  “Evolved  Universal  Terrestrial  Radio  Access  (E-UTRA);  Overall  description;  Stage  2”;  TS  36.323  v14.5.0,  “Evolved  Universal  Terrestrial  Radio  Access  (E-UTRA);  Packet  Data  Convergence  Protocol  (PDCP)  specification”;  R2-1809265,  “Introduction  of  eV2X  in  TS  36.300”;  R2-1808916,  “Introduction  of  eV2X  in  36.321”;  R2-1808921,  “Introduction  of  V2X  duplication  to  TS  36.323”;  およびR2-1808917,  “Introduction  of  eV2X  in  TS  36.331”を含む。上記に挙げた標準および文書は、全体として参照により本明細書に明示的に援用される。
【０００９】
図１は、本発明の一実施形態に係る多重アクセス無線通信システムを示している。アクセスネットワーク１００（ＡＮ）は、複数のアンテナグループを含み、あるグループは１０４および１０６、別のグループは１０８および１１０、また別のグループは１１２および１１４を含む。図１においては、各アンテナグループに対して、アンテナが２つしか示されていないが、より多くのあるいはより少ないアンテナが各アンテナグループに利用されてよい。アクセス端末１１６（ＡＴ）は、アンテナ１１２および１１４と通信しており、アンテナ１１２および１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６および１０８と通信しており、アンテナ１０６および１０８は、順方向リンク１２６を介して情報をアクセス端末（ＡＴ）１２２に送信すると共に、逆方向リンク１２４を介して情報をアクセス端末（ＡＴ）１２２から受信している。ＦＤＤシステムにおいては、通信リンク１１８、１２０、１２４、および１２６は通信に異なる周波数を使用してよい。例えば、順方向リンク１２０では、逆方向リンク１１８によって使用される周波数とは異なる周波数を使用してよい。
【００１０】
アンテナの各グループおよび／またはアンテナが通信するように設計されたエリアは、アクセスネットワークのセクターと称することが多い。本実施形態において、アンテナグループはそれぞれ、アクセスネットワーク１００によってカバーされるエリアのセクターにおいて、アクセス端末と通信するように設計されている。
【００１１】
順方向リンク１２０および１２６を介した通信において、アクセスネットワーク１００の送信アンテナは、異なるアクセス端末１１６および１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１２】
アクセスネットワーク（ＡＮ）は、端末と通信するのに使用される固定局または基地局でよく、アクセスポイント、ノードＢ、基地局、拡張型基地局、進化型ノードＢ（ｅＮＢ）、またはその他何らかの専門用語で呼ばれることもある。アクセス端末（ＡＴ）は、ユーザ機器（ＵＥ）、無線通信デバイス、端末、アクセス端末、またはその他何らかの専門用語で呼ばれることもある。
【００１３】
図２は、ＭＩＭＯシステム２００における送信機システム２１０（アクセスネットワークとしても知られている）および受信機システム２５０（アクセス端末（ＡＴ）またはユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１４】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、およびインターリーブして、符号化データを提供する。
【００１５】
各データストリームについての符号化データを、ＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロットおよび符号化データは、データストリームに対して選択された特定の変調方式（例えば、ＢＰＳＫ、ＱＰＳＫ、Ｍ−ＰＳＫ、またはＭ−ＱＡＭ）に基づいて変調（すなわち、シンボルマッピング）されて、変調シンボルを提供する。各データストリームについてのデータレート、符号化、および変調は、プロセッサ２３０により実行される命令によって決定されてよい。
【００１６】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボルおよびシンボルが送信されているアンテナに適用する。
【００１７】
各送信機２２２は、各シンボルストリームを受信および処理して１つ以上のアナログ信号を提供し、さらに、アナログ信号を調節（例えば、増幅、フィルタリング、およびアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００１８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、およびダウンコンバート）して、調節された信号をディジタル化してサンプルを与え、さらに、これらのサンプルを処理して対応する「受信」シンボルストリームを提供する。
【００１９】
そして、ＲＸデータプロセッサ２６０は、特定の受信機処理技術に基づいて、ＮＲ個の受信機２５４からのＮＲ個の受信シンボルストリームを受信および処理して、ＮＴ個の「検出」シンボルストリームを提供する。そして、ＲＸデータプロセッサ２６０は、各検出シンボルストリームを復調、デインターリーブ、および復号して、データストリームについてのトラフィックデータを復元する。ＲＸデータプロセッサ２６０による処理は、送信機システム２１０でのＴＸ  ＭＩＭＯプロセッサ２２０およびＴＸデータプロセッサ２１４により実行される処理と相補的である。
【００２０】
プロセッサ２７０は、どのプリコーディングマトリクス（後述）使用するかを定期的に決定する。プロセッサ２７０は、マトリクス指標部およびランク値部を含む逆方向リンクメッセージを構築する。
【００２１】
逆方向リンクメッセージは、通信リンクおよび／または受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２３】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６および１２２または図１の基地局（若しくはＡＮ）１００を実現するのに利用可能であり、無線通信システムは、好ましくはＮＲシステムである。通信デバイスは、入力デバイス３０２、出力デバイス３０４、制御回路３０６、中央演算処理装置（ＣＰＵ）３０８、メモリ３１０、プログラムコード３１２、およびトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像および音声を出力することができる。トランシーバ３１４は、無線信号を受信および送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２４】
図４は、本発明の一実施形態による図３に示すプログラムコード３１２の簡易ブロック図である。本実施形態において、プログラムコード３１２は、アプリケーションレイヤ４００、レイヤ３部４０２、およびレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２５】
３ＧＰＰ  ＴＳ  ３６．３００は、関連するサイドリンク動作を以下のように記載している：
［外１］
2020005257.tif 000003
［"Layer  2  Structure  for  DL"と題する図６−１は省略］
［"Layer  2  Structure  for  UL"と題する図６−２は省略］
［外２］
2020005257.tif 000004
［"Layer  2  Structure  for  Sidelink"と題する、３ＧＰＰ  ＴＳ  ３６．３００  ｖ１５．１．０の図６−３は図５として複製］
［外３］
2020005257.tif 000005
2020005257.tif 000006
［"User-Plane  protocol  stack  for  sidelink  communication"と題する、３ＧＰＰ  ＴＳ  ３６．３００  ｖ１５．１．０の図２３．１０．２．１−１は図６として複製］
［外４］
2020005257.tif 000007
［"Control-Plane  protocol  stack  for  SBCCH"と題する、３ＧＰＰ  ＴＳ  ３６．３００  ｖ１５．１．０の図２３．１０．２．２−１は図７として複製］
［外５］
2020005257.tif 000008
［"Control-Plane  protocol  stack  for  one-to-one  sidelink  communication"と題する、３ＧＰＰ  ＴＳ  ３６．３００  ｖ１５．１．０の図２３．１０．２．２−２は図８として複製］
［外６］
2020005257.tif 000009
2020005257.tif 000010
2020005257.tif 000011
2020005257.tif 000012
2020005257.tif 000013
2020005257.tif 000014
2020005257.tif 000015
2020005257.tif 000016
2020005257.tif 000017
【００２６】
３ＧＰＰ  Ｒ２−１８０９２６５は、以下の説明及び概念を導入している：
［外７］
2020005257.tif 000018
［"Layer  2  Structure  for  DL  with  CA  configured"と題する、３ＧＰＰ  Ｒ２−１８０９２６５の図６．４−１は省略］
［"Layer  2  Structure  for  UL  with  CA  configured"と題する、３ＧＰＰ  Ｒ２−１８０９２６５の図６．４−２は省略］
［外８］
2020005257.tif 000019
［"Layer  2  Structure  for  Sidelink  with  CA  configured"と題する、３ＧＰＰ  Ｒ２−１８０９２６５の図６．４−ｘは図９として複製］
［外９］
2020005257.tif 000020
2020005257.tif 000021
2020005257.tif 000022
【００２７】
３ＧＰＰ  Ｒ２−１８０８９１６は、以下の説明及び概念を導入している。
［外１０］
2020005257.tif 000023
2020005257.tif 000024
［"Values  of  LCID  for  SL-SCH"と題する、３ＧＰＰ  Ｒ２−１８０８９１６の表６．２．４−１は図１０として複製］
［"Values  of  F  field"と題する、３ＧＰＰ  Ｒ２−１８０８９１６の表６．２．４−２は図１１として複製］
【００２８】
３ＧＰＰ  Ｒ２−１８０８９２１は、以下の説明及び概念を導入している：
［外１１］
2020005257.tif 000025
2020005257.tif 000026
2020005257.tif 000027
2020005257.tif 000028
2020005257.tif 000029
2020005257.tif 000030
【００２９】
３ＧＰＰ  Ｒ２−１８０９２６５によると、サイドリンクにおけるキャリアアグリゲーション（ＣＡ）は、Ｖ２Ｘ（Vehicle-to-Everyting）サイドリンク通信についてサポートされている。これは、カバレッジ内ＵＥとカバレッジ外ＵＥの両方に適用される。追加的に、サイドリンクパケット重複（sidelink  packet  duplication）は、Ｖ２Ｘサイドリンク通信についてサポートされ、ＵＥのＰＤＣＰ（Packet  Data  Convergence  Protocol）レイヤで実行され得る。送信についてのサイドリンクパケット重複の場合、ＰＤＣＰ  ＰＤＵ（Protocol  Data  Unit）がＰＤＣＰエンティティで重複される。同じＰＤＣＰエンティティの重複ＰＤＣＰ  ＰＤＵは、２つの異なるＲＬＣ（Radio  Link  Control）エンティティに送信または引き渡され（delivered）、それぞれ２つの異なるサイドリンク論理チャネルに関連付けられる。同じＰＤＣＰエンティティの重複ＰＤＣＰ  ＰＤＵは、異なるサイドリンクキャリアでのみ送信が許可される。ＵＥは、（事前）設定に基づいて、サイドリンクパケット重複を有効（activate）または無効（deactivate）にすることができます。サイドリンクパケット重複がサポートされるＰＰＰＲ（ProSe  Per-Packet  Reliability）値は、ＰＰＰＲしきい値を介して（事前）設定され得る。
【００３０】
ＵＥ自律リソース選択およびスケジューリングされたリソース割り当てのために、ＵＥは、設定されたＰＰＰＲ値を有するデータに対して、パケット重複がこれらのＰＰＰＲ値に対して設定解除されるまで、サイドリンクパケット重複を実行するものとする。スケジューリングされたリソース割り当てのために、ＵＥは、１つ以上のＰＰＰＲ値に関連付けられたデータ量と、データが属する宛先を、サイドリンクＢＳＲ（Buffer  Status  Report）を介して報告する。ＰＰＰＲ値の論理チャネルグループへのマッピングは、ｅＮＢによって設定されることができ、ＰＰＰＲ値は、サイドリンクＢＳＲに含まれる関連付けられた論理チャネルグループＩＤによって反映される。ＰＰＰＲ値のリストは、ＲＲＣ＿ＣＯＮＮＥＣＴＥＤ  ＵＥによってＳｉｄｅｌｉｎｋ  ＵＥ情報で報告される。
【００３１】
ＵＥがスケジューリングされたリソース割り当てを使用するために、２つの重複しないキャリアセットが、ＵＥからネットワークに報告される宛先ごとにｅＮＢによって設定され、それらは、サイドリンクパケット重複に対して設定されるすべてのＰＰＰＲに適用される。次いで、ＵＥは、同じＰＤＣＰエンティティに対応する２つの重複したサイドリンク論理チャネルを、それぞれ、２つのサイドリンク論理チャネルの宛先に設定された２つのキャリアセットに関連付ける。宛先は、（送信）ＵＥがサイドリンク通信送信を行う１つ以上の（受信）ＵＥに対応する識別子とすることができる。重複したサイドリンク論理チャネルとキャリアセットの間の関連付けは、ＵＥ実装次第である。重複サイドリンク論理チャネルのデータは、関連付けられたキャリアセット内のキャリアでのみ送信され得る。
【００３２】
図１２は、サイドリンクパケット重複の場合の送信動作の例を示す。（送信）ＵＥは、サイドリンク無線ベアラ（ＳＬＲＢ）で（宛先に対する）送信に可能なデータを有してよい。ＳＬＲＢは、信頼性（例えば、ＰＰＰＲ）と関連付けられ得る。信頼性はしきい値よりも低くてよい。ＵＥは、ＳＬＲＢでサイドリンクパケット重複を実行してよい。ＵＥはＰＤＣＰ  ＰＤＵを複製することができる。ＵＥは、ＰＤＣＰ  ＰＤＵとＰＤＣＰ  ＰＤＵの複製を、ＳＬＲＢに関連付けられた２つの異なるＲＬＣエンティティ／レイヤに引き渡すことができる。ＵＥはまた、ＰＤＣＰ  ＰＤＵをＳＬＲＢに関連付けられた第１のＲＬＣエンティティ／レイヤに引き渡すことができる。追加的に、ＵＥは、ＰＤＣＰ  ＰＤＵの複製をＳＬＲＢに関連付けられた第２のＲＬＣエンティティ／レイヤに引き渡すことができる。ＵＥは、ＳＬＲＢでのサイドリンクパケット重複で設定されてよい。ＵＥは、ＳＬＲＢでのサイドリンク送信に使用されるパラメータを維持することができる。パラメータはＮｅｘｔ＿ＰＤＣＰ＿ＴＸ＿ＳＮとすることができる。パラメータはＴＸ＿ＨＦＮとすることができる。
【００３３】
サイドリンクパケット重複の場合、ＵＥは第１の範囲（例えば、ＬＣＨ１〜ＬＣＨ１０、００００１〜０１０１０など）から非重複論理チャネルを選択してよい。サイドリンクパケット重複の場合、ＵＥは第２の範囲（例えば、ＬＣＨ１１〜ＬＣＨ２０、０１０１１〜１０１００など）から重複論理チャネルを選択してよい。第１の範囲の値は、順番にそれぞれ第２の範囲のどの値の論理チャネルから、重複ＲＬＣ（Radio  Link  Control）ＳＤＵ（Service  Data  Unit）を送信するために使用される論理チャネルを識別することができる。この例では、ＵＥは、サイドリンクパケット重複のために第１の論理チャネル（例えば、ＬＣＨ１）および第２の論理チャネル（例えば、ＬＣＨ１１）を使用してよい。ＵＥは、第１の論理チャネルにサービスするために第１のキャリア（例えば、キャリア１）を使用してよい。ＵＥはまた、第２の論理チャネルにサービスするために第２のキャリア（例えば、キャリア２）を使用してよい。
【００３４】
図１３は、サイドリンクパケット重複の場合の受信動作の例を示す。３ＧＰＰ  Ｒ２−１８０８９２１によれば、（サイドリンク重複受信可能な）ＵＥは、重複論理チャネルでトラフィックを受信すること、または非重複論理チャネルから０ではないＰＤＣＰ  ＳＮに関連付けられたトラフィックを受信すること基づいて、ＰＤＣＰ重複受信を検出することができる。トラフィックは、ＰＤＣＰ  ＰＤＵまたはＰＤＣＰ  ＳＤＵとすることができる。ＵＥは、非重複論理チャネルにサービスするために、第１のキャリア（例えば、キャリア１）を使用してよい。ＵＥはまた、重複論理チャネルにサービスするために第２のキャリア（例えば、キャリア２）を使用してよい。
【００３５】
例えば、ＵＥは、（最初に）第１の論理チャネル（例えば、ＬＣＨ１）で第１のトラフィックを受信してよい。第１のトラフィックは、ＰＤＣＰ  ＳＮ＝１と関連付けられてよい。この状況では、ＵＥは、サイドリンクパケット重複が実行されるＳＬＲＢに第１の論理チャネルを関連付けることを理解するか、あるいは決定することができる。ＵＥは、第２の論理チャネル（例えば、ＬＣＨ１１）で第１のトラフィックを受信してよい。この状況では、ＵＥは、ＳＬＲＢおよび／または（例えば、ＬＣＩＤペアに基づいて）第１の論理チャネルに第２の論理チャネルを関連付けることを理解するか、あるいは決定することができる。第１の論理チャネルでの第１のトラフィックの内容は、第２の論理チャネルでの第１のトラフィックの内容と同じでよい。第２の論理チャネルでの第１のトラフィックは、第１の論理チャネルでの第１のトラフィックの複製（duplicate）とすることができる。
【００３６】
別の例として、（受信）ＵＥは、第２の論理チャネルで第２のトラフィックを受信してよい。この状況では、ＵＥは、サイドリンクパケット重複が実行されるＳＬＲＢに第２の論理チャネルを関連付けることを理解するか、あるいは決定することができる。ＵＥは、第１の論理チャネルで第２のトラフィックを受信してよい。この状況では、ＵＥは、ＳＬＲＢに第１の論理チャネルを関連付けるか、かつ／あるいは（例えば、ＬＣＩＤペアに基づいて）第２の論理チャネルに第１の論理チャネルを関連付けることを理解するか、あるいは決定することができる。第１の論理チャネルでの第２のトラフィックの内容は、第２の論理チャネルでの第２のトラフィックの内容と同じでよい。第２の論理チャネルでの第２のトラフィックは、第１の論理チャネルでの第２のトラフィックの複製とすることができる。
【００３７】
ＵＥは、（ＰＤＣＰ重複受信が検出される場合）ＳＬＲＢでのサイドリンク受信に使用されるパラメータを維持することができる。パラメータはＮｅｘｔ＿ＰＤＣＰ＿ＲＸ＿ＳＮとすることができる。パラメータは、ＲＸ＿ＨＦＮとすることができる。ＵＥは、（ＰＤＣＰ重複受信が検出される場合）ＳＬＲＢでのサイドリンク受信のためのリオーダリング手順（re-ordering  procedure）を実行することができる。
【００３８】
一実施形態では、ＵＥは、最初に、第１の論理チャネルでＳＮ＝０を有するＰＤＣＰ  ＰＤＵを受信してよい。３ＧＰＰ  Ｒ２−１８０８９２１に基づいて、ＵＥは、このＰＤＣＰ  ＰＤＵの結果として生じるＰＤＣＰ  ＳＤＵを上位レイヤに引き渡すが、ＳＬＲＢでのサイドリンク受信に使用されるパラメータ（例えば、Ｎｅｘｔ＿ＰＤＣＰ＿ＲＸ＿ＳＮおよび／またはＲＸ＿ＨＦＮ）を維持しない。これは、（ｉ）ＵＥが、第１の論理チャネルで受信したＳＮ＝０を有するＰＤＣＰ  ＰＤＵがＰＤＣＰ  ＰＤＵの複製であると理解する（、決定する、あるいは知る）ことができないか、あるいは（ｉｉ）第１の論理チャネルから受信したＳＮ＝０を有するＰＤＣＰ  ＰＤＵが、ゼロではないＳＮを有するＰＤＣＰ  ＰＤＵではなく、重複論理チャネルから受信したＰＤＣＰ  ＰＤＵでもないからであり得る。ＵＥは、第１の論理チャネルで受信したＳＮ＝０を有するＰＤＣＰ  ＰＤＵの結果として生じるＰＤＣＰ  ＳＤＵを記憶することができない。
【００３９】
ＵＥが第２の論理チャネルでＳＮ＝０を有するＰＤＣＰ  ＰＤＵを受信する場合、ＵＥは、第２の論理チャネルで受信したＰＤＣＰ  ＰＤＵが、第１の論理チャネルで受信した（ＳＮ＝０を有する）ＰＤＣＰ  ＰＤＵの複製であることを理解する（、決定する、あるいは知る）ことができ、ＳＬＲＢでのサイドリンク受信に使用されるパラメータを維持する。この状況では、（現状）維持されたパラメータに基づいて、ＳＬＲＢのための複製の結果として生じる記憶されたＰＤＣＰ  ＳＤＵがないため、ＵＥは、ＰＤＣＰ  ＰＤＵの複製の結果として生じるＰＤＣＰ  ＳＤＵを上位レイヤに引き渡す。
【００４０】
例えば、ＵＥは、ＳＮ＝０を有するＰＤＣＰ  ＰＤＵが第１の論理チャネルで受信される場合、ＳＬＲＢでのＮｅｘｔ＿ＰＤＣＰ＿ＲＸ＿ＳＮおよび／またはＲＸ＿ＨＦＮを維持することができない。ＵＥは、第１の論理チャネルで受信したＳＮ＝０を有するＰＤＣＰ  ＰＤＵのＰＤＣＰ  ＳＤＵを上位レイヤに引き渡すことができる。ＵＥは、第１の論理チャネルで受信したＳＮ＝０を有するＰＤＣＰ  ＰＤＵのＰＤＣＰ  ＳＤＵを記憶することができない。ＳＮ＝０を有するＰＤＣＰ  ＰＤＵが第２の論チャネルで受信される場合、ＵＥは、ＳＬＲＢでのＮｅｘｔ＿ＰＤＣＰ＿ＲＸ＿ＳＮおよび／またはＲＸ＿ＨＦＮを維持（することを開始）することができる。Ｎｅｘｔ＿ＰＤＣＰ＿ＲＸ＿ＳＮは０とすることができる。ＲＸ＿ＨＦＮは０とすることができる。第２の論理チャネルで受信したＰＤＣＰ  ＰＤＵのＳＮ（＝０）がＮｅｘｔ＿ＰＤＣＰ＿ＲＸ＿ＳＮ（＝０）に等しいため、ＵＥは第２の論理チャネルで受信したＰＤＣＰ  ＰＤＵの記憶されたＰＤＣＰ  ＳＤＵがないとみなすことができる。ＵＥは、第２の論理チャネルで受信したＰＤＣＰ  ＰＤＵのＰＤＣＰ  ＳＤＵを記憶することができる。ＵＥは、第２の論理チャネルで受信したＰＤＣＰ  ＰＤＵのＰＤＣＰ  ＳＤＵを上位レイヤに引き渡すことができる。実際には、第１の論理チャネルで受信したＳＮ＝０を有するＰＤＣＰ  ＰＤＵのＰＤＣＰ  ＳＤＵは上位レイヤに引き渡されており、第２の論理チャネルで受信したＳＮ＝０を有するＰＤＣＰ  ＰＤＵのＰＤＣＰ  ＳＤＵの引き渡しは必要ないと思われる。この問題を図１４および１５に示すことができる。
【００４１】
サイドリンクパケット重複は、Ｖ２Ｘサイドリンク通信に使用され得るため、この状況は、上位レイヤ（例えば、Ｖ２Ｘアプリケーション）の観点から、同じＶ２Ｘサービス情報の重複を受信することに対して予期しないＵＥ挙動を引き起こす。その不利益を回避するために、いくつかの選択肢を取り上げてよい。
【００４２】
一つの選択肢では、サイドリンクパケット重複を伴う送信のための（真に最初の）ＰＤＣＰ  ＳＤＵのＳＮが、特定の数から開始され得る。特定の数は０より大きくすることができる（あるいは０とすることができない）。たとえば、特定の数は１とすることができる。ＳＮはＰＤＣＰ  ＳＮとすることができる。
【００４３】
一実施形態では、（送信）ＵＥは、ＳＮが１から開始する（真に最初の）ＰＤＣＰ  ＳＤＵを送信することができる。（送信）ＵＥは、Ｎｅｘｔ＿ＰＤＣＰ＿ＴＸ＿ＳＮに対応するＳＮを（その真に最初の）ＰＤＣＰ  ＳＤＵに関連付ける前に、１だけ（あるいは、０より大きい数だけ）Ｎｅｘｔ＿ＰＤＣＰ＿ＴＸ＿ＳＮをインクリメントすることができる。（送信）ＵＥはまた、ＳＬＲＢのためのＰＤＣＰエンティティが確立される場合、Ｎｅｘｔ＿ＰＤＣＰ＿ＴＸ＿ＳＮを非ゼロ（例えば０より大きい数）に設定することができる。
【表１】
2020005257.tif 000031
【表２】
2020005257.tif 000032
【表３】
2020005257.tif 000033
【００４４】
別の代替案では、（受信）ＵＥは、ＳＮ＝０を有するＤＣＰ  ＰＤＵが第１の論理チャネルで受信された場合、第２の論理チャネルで受信したＳＮ＝０を有するＰＤＣＰ  ＰＤＵのＰＤＣＰ  ＳＤＵを上位レイヤに引き渡すことができない。第１の論理チャネルは、非重複論理チャネルとすることができる。第２の論理チャネルは、重複論理チャネルとすることができる。重複論理チャネルは、非重複論理チャネルに関連付けられ得る。第１の論理チャネルで受信したＳＮ＝０を有するＰＤＣＰ  ＰＤＵは、第１の論理チャネルで受信したＳＮ＝０を有する真に最初のＰＤＣＰ  ＰＤＵとすることができる。第２の論理チャネルで受信したＳＮ＝０を有するＰＤＣＰ  ＰＤＵは、第２の論理チャネルで受信したＳＮ＝０を有する真に最初のＰＤＣＰ  ＰＤＵとすることができる。しかし、第２の論理チャネルで受信されたＳＮ＝０を有する真に最初のＰＤＣＰ  ＰＤＵは、ＳＮがラップアラウンドし得るＳＮ＝０を有するＰＤＣＰ  ＰＤＵとすることができる。ＵＥがこの原理に従う場合、ＵＥは、第２の論理チャネルで受信したＳＮ＝０を有する真に最初のＰＤＣＰ  ＰＤＵを引き渡すことができない。この状況を図１６に示すことができる。
【００４５】
一実施形態では、ＵＥは、第１の論理チャネルでＳＮ＝０を有するＰＤＣＰ  ＰＤＵを受信した後は、サイドリンク受信に使用されるパラメータを維持することができない。例えば、ＵＥは、第１の論理チャネルでＳＮ＝０を有するＰＤＣＰ  ＰＤＵを受信する前は、サイドリンク受信に使用されるパラメータを０に設定することができない。さらに、ＵＥは、第１の論理チャネルでＳＮ＝０を有するＰＤＣＰ  ＰＤＵを受信した後は、ＰＤＣＰ  ＰＤＵのＳＮに基づいて、サイドリンク受信に使用されるパラメータを設定することができない。
【００４６】
一実施形態では、ＵＥは、第１の論理チャネルでこのＰＤＣＰ  ＰＤＵを受信した後、第１の論理チャネルで受信したＳＮ＝０を有するＰＤＣＰ  ＰＤＵのＰＤＣＰ  ＳＤＵを記憶することができる。ＵＥは、第１の論理チャネルで受信したＳＮ＝０を有するＰＤＣＰ  ＳＤＵを上位レイヤに引き渡すことができる。
【００４７】
一実施形態では、ＵＥは、第１の論理チャネルでＳＮ＝０を有するＰＤＣＰ  ＰＤＵを受信すると、サイドリンク受信に使用されるパラメータを維持することができない。例えば、ＵＥは、第１の論理チャネルでＳＮ＝０を有するＰＤＣＰ  ＰＤＵを受信すると、ＰＤＣＰ  ＰＤＵのＳＮに基づいて、サイドリンク受信に使用されるパラメータを設定することができない。
【００４８】
一実施形態では、ＵＥは、第１の論理チャネルでこのＰＤＣＰ  ＰＤＵを受信すると、第１の論理チャネルで受信したＳＮ＝０を有するＰＤＣＰ  ＰＤＵのＰＤＣＰ  ＳＤＵを記憶することができる。ＵＥは、第１の論理チャネルで受信したＳＮ＝０を有するＰＤＣＰ  ＳＤＵを上位レイヤに引き渡すことができる。
【００４９】
一実施形態では、ＵＥは、ＳＮ＝０を有するＰＤＣＰ  ＰＤＵが第１の論理チャネルで受信される場合、サイドリンク受信に使用されるパラメータを維持することができない。例えば、ＵＥは、ＳＮ＝０を有するＰＤＣＰ  ＰＤＵが第１の論理チャネルで受信される場合、ＰＤＣＰ  ＰＤＵのＳＮに基づいてサイドリンク受信に使用されるパラメータを設定することができない。
【００５０】
一実施形態では、ＵＥは、第１の論理チャネルで受信したＳＮ＝０を有するＰＤＣＰ  ＰＤＵのＰＤＣＰ  ＳＤＵを、このＰＤＣＰ  ＰＤＵが第１の論理チャネルで受信される場合、記憶することができる。ＵＥは、第１の論理チャネルで受信したＳＮ＝０を有するＰＤＣＰ  ＳＤＵを上位レイヤに引き渡すことができる。
【００５１】
一実施形態では、ＵＥは、第２の論理チャネルでＳＮ＝０を有するＰＤＣＰ  ＰＤＵを受信する前は、サイドリンク受信に使用されるパラメータを維持することができない。例えば、ＵＥは、第２の論理チャネルでＳＮ＝０を有するＰＤＣＰ  ＰＤＵを受信する前は、ＰＤＣＰ  ＰＤＵのＳＮに基づいてサイドリンク受信に使用されるパラメータを設定することができない。
【００５２】
一実施形態では、ＵＥは、第２の論理チャネルでＳＮ＝０を有するＰＤＣＰ  ＰＤＵを受信した後は、サイドリンク受信に使用されるパラメータを維持することができる。例えば、ＵＥは、第２の論理チャネルでＳＮ＝０を有するＰＤＣＰ  ＰＤＵを受信した後は、ＰＤＣＰ  ＰＤＵのＳＮに基づいて、サイドリンク受信に使用されるパラメータを設定することができる。
【００５３】
一実施形態では、ＵＥは、第２の論理チャネルで受信したＳＮ＝０を有するＰＤＣＰ  ＰＤＵのＰＤＣＰ  ＳＤＵを、第２の論理チャネルでこのＰＤＣＰ  ＰＤＵを受信した後は、記憶することができない。ＳＮ＝０を有するＰＤＣＰ  ＳＤＵを除くＰＤＣＰ  ＳＤＵが第１の論理チャネル（および／または第２の論理チャネル）で受信されていないか、あるいは（サイドリンク受信に使用されるパラメータがラップアラウンドし得る前に）上位レイヤに引き渡されていない場合、ＵＥは、（サイドリンク受信に使用されるパラメータがラップアラウンドし得る前に）第２の論理チャネルで受信したＳＮ＝０を有するＰＤＣＰ  ＳＤＵを破棄することができる。また、ＳＮ＝０を有するＰＤＣＰ  ＰＤＵを除くＰＤＣＰ  ＰＤＵが（サイドリンク受信に使用されるパラメータがラップアラウンドし得る前に）第１の論理チャネル（および／または第２の論理チャネル）で受信されていない場合、ＵＥは、（サイドリンク受信に使用されるパラメータがラップアラウンドし得る前に）第２の論理チャネルで受信したＳＮ＝０を有するＰＤＣＰ  ＳＤＵを含むＰＤＣＰ  ＰＤＵを破棄することができる。追加的に、このＰＤＣＰ  ＳＤＵが、（サイドリンク受信に使用されるパラメータがラップアラウンドし得る前に）第２の論理チャネルで受信したＳＮ＝０を有する真に最初のＰＤＣＰ  ＳＤＵであり、第１の論理チャネルで受信したＳＮ＝０を有するＰＤＣＰ  ＳＤＵが、（サイドリンク受信に使用されるパラメータがラップアラウンドし得る前に）上位レイヤに引き渡されている場合、ＵＥは、第２の論理チャネルで受信したＳＮ＝０を有するＰＤＣＰ  ＳＤＵを廃棄することができる。さらに、ＵＥは、第２の論理チャネルで受信したＳＮ＝０を有するＰＤＣＰ  ＰＤＵを、このＰＤＣＰ  ＰＤＵが、（サイドリンク受信に使用されるパラメータがラップアラウンドし得る前に）第２の論理チャネルで受信したＳＮ＝０を有する真に最初のＰＤＣＰ  ＰＤＵであり、ＳＮ＝０を有するＰＤＣＰ  ＰＤＵが、（サイドリンク受信に使用されるパラメータがラップアラウンドし得る前に）第１の論理チャネルで受信されている場合、破棄することができる。
【００５４】
一実施形態では、ＵＥは、第２の論理チャネルでＳＮ＝０を有するＰＤＣＰ  ＰＤＵを受信したら、サイドリンク受信に使用されるパラメータを維持することができる。例えば、ＵＥは、第２の論理チャネルでＳＮ＝０を有するＰＤＣＰ  ＰＤＵを受信したら、ＰＤＣＰ  ＰＤＵのＳＮに基づいて、サイドリンク受信に使用されるパラメータを設定することができる。
【００５５】
一実施形態では、ＵＥは、第２の論理チャネルで受信したＳＮ＝０を有するＰＤＣＰ  ＰＤＵのＰＤＣＰ  ＳＤＵを、第２の論理チャネルでこのＰＤＣＰ  ＰＤＵを受信したら、記憶することができない。ＳＮ＝０を有するＰＤＣＰ  ＳＤＵを除くＰＤＣＰ  ＳＤＵが第１の論理チャネル（および／または第２の論理チャネル）で受信されていないか、あるいは（サイドリンク受信に使用されるパラメータがラップアラウンドし得る前に）上位レイヤに引き渡されていない場合、ＵＥは、（サイドリンク受信に使用されるパラメータがラップアラウンドし得る前に）第２の論理チャネルで受信したＳＮ＝０を有するＰＤＣＰ  ＳＤＵを破棄することができる。また、ＳＮ＝０を有するＰＤＣＰ  ＰＤＵを除くＰＤＣＰ  ＰＤＵが、（サイドリンク受信に使用されるパラメータがラップアラウンドし得る前に）第１の論理チャネル（および／または第２の論理チャネル）で受信されていない場合、ＵＥは、（サイドリンク受信に使用されるパラメータがラップアラウンドし得る前に）第２の論理チャネルで受信したＳＮ＝０を有するＰＤＣＰ  ＳＤＵを含むＰＤＣＰ  ＰＤＵを破棄することができる。さらに、ＵＥは、第２の論理チャネルで受信したＳＮ＝０を有するＰＤＣＰ  ＳＤＵを、このＰＤＣＰ  ＳＤＵが、（サイドリンク受信に使用されるパラメータがラップアラウンドし得る前に）第２の論理チャネルで受信したＳＮ＝０を有する真に最初のＰＤＣＰ  ＳＤＵであり、第１の論理チャネルで受信したＳＮ＝０を有するＰＤＣＰ  ＳＤＵが、（サイドリンク受信に使用されるパラメータがラップアラウンドし得る前に）上位レイヤに引き渡されている場合、破棄することができる。追加的に、ＵＥは、第２の論理チャネルで受信したＳＮ＝０を有するＰＤＣＰ  ＰＤＵを、このＰＤＣＰ  ＰＤＵが、（サイドリンク受信に使用されるパラメータがラップアラウンドし得る前に）第２の論理チャネルで受信したＳＮ＝０を有する真に最初のＰＤＣＰ  ＰＤＵであり、ＳＮ＝０を有するＰＤＣＰ  ＰＤＵが、（サイドリンク受信に使用されるパラメータがラップアラウンドし得る前に）第１の論理チャネルで受信されている場合、破棄することができる。
【００５６】
一実施形態では、サイドリンク受信に使用されるパラメータは、Ｎｅｘｔ＿ＰＤＣＰ＿ＲＸ＿ＳＮまたはＲＸ＿ＨＦＮとすることができる。
【００５７】
別の選択肢では、（受信）ＵＥは、ＳＮ＝０を有するＰＤＣＰ  ＳＤＵが第１の論理チャネルで受信されている場合、第２の論理チャネルで受信したＳＮ＝０を有するＰＤＣＰ  ＳＤＵを上位レイヤに引き渡すことができない。第１の論理チャネルは、非重複論理チャネルとすることができる。第２の論理チャネルは、重複論理チャネルとすることができる。重複論理チャネルは、非重複論理チャネルに関連付けられ得る。第１の論理チャネルで受信したＳＮ＝０を有するＰＤＣＰ  ＳＤＵは、第１の論理チャネルで受信したＳＮ＝０を有する真に最初のＰＤＣＰ  ＳＤＵとすることができる。第２の論理チャネルで受信したＳＮ＝０を有するＰＤＣＰ  ＳＤＵは、第２の論理チャネルで受信したＳＮ＝０を有する真に最初のＰＤＣＰ  ＳＤＵとすることができる。しかし、第２の論理チャネルで受信したＳＮ＝０を有する真に最初のＰＤＣＰ  ＰＤＵは、ＳＮがラップアラウンドし得るＳＮ＝０を有するＰＤＣＰ  ＰＤＵとすることができる。ＵＥがこの原理に従う場合、ＵＥは、第２の論理チャネルで受信したＳＮ＝０を有する真に最初のＰＤＣＰ  ＰＤＵを引き渡すことができない。この状況は、図１６に示すことができる。
【００５８】
一実施形態では、ＵＥは、第１の論理チャネルでＳＮ＝０を有するＰＤＣＰ  ＳＤＵを受信した後は、サイドリンク受信に使用されるパラメータを維持することができない。例えば、ＵＥは、第１の論理チャネルでＳＮ＝０を有するＰＤＣＰ  ＳＤＵを受信した後は、ＰＤＣＰ  ＳＤＵのＳＮに基づいて、サイドリンク受信に使用されるパラメータを設定することができない。
【００５９】
一実施形態では、ＵＥは、第１の論理チャネルで受信したＳＮ＝０を有するＰＤＣＰ  ＳＤＵを、第１の論理チャネルでこのＰＤＣＰ  ＳＤＵを受信した後は、記憶することができる。ＵＥは、第１の論理チャネルで受信したＳＮ＝０を有するＰＤＣＰ  ＳＤＵを上位レイヤに引き渡すことができる。
【００６０】
一実施形態では、ＵＥは、第１の論理チャネルでＳＮ＝０を有するＰＤＣＰ  ＳＤＵを受信したら、サイドリンク受信に使用されるパラメータを維持することができない。例えば、ＵＥは、第１の論理チャネルでＳＮ＝０を有するＰＤＣＰ  ＳＤＵを受信したら、ＰＤＣＰ  ＳＤＵのＳＮに基づいて、サイドリンク受信に使用されるパラメータを設定することができない。
【００６１】
一実施形態では、ＵＥは、第１の論理チャネルで受信したＳＮ＝０を有するＰＤＣＰ  ＳＤＵを、第１の論理チャネルでこのＰＤＣＰ  ＳＤＵを受信したら、記憶することができる。ＵＥは、第１の論理チャネルで受信したＳＮ＝０を有するＰＤＣＰ  ＳＤＵを上位レイヤに引き渡すことができる。
【００６２】
一実施形態では、ＵＥは、第２の論理チャネルでＳＮ＝０を有するＰＤＣＰ  ＳＤＵを受信する前は、サイドリンク受信に使用されるパラメータを維持することができない。例えば、ＵＥは、第２の論理チャネルでＳＮ＝０を有するＰＤＣＰ  ＳＤＵを受信する前は、ＰＤＣＰ  ＳＤＵのＳＮに基づいて、サイドリンク受信に使用されるパラメータを設定することができない。
【００６３】
一実施形態では、ＵＥは、第２の論理チャネルでＳＮ＝０を有するＰＤＣＰ  ＳＤＵを受信した後は、サイドリンク受信に使用されるパラメータを維持することができる。例えば、ＵＥは、第２の論理チャネルでＳＮ＝０を有するＰＤＣＰ  ＳＤＵを受信した後は、ＰＤＣＰ  ＳＤＵのＳＮに基づいて、サイドリンク受信に使用されるパラメータを設定することができる。
【００６４】
一実施形態では、ＵＥは、第２の論理チャネルで受信したＳＮ＝０を有するＰＤＣＰ  ＳＤＵを、第２の論理チャネルでこのＰＤＣＰ  ＳＤＵを受信した後は、記憶することができない。ＳＮ＝０を有するＰＤＣＰ  ＳＤＵを除くＰＤＣＰ  ＳＤＵが第１の論理チャネル（および／または第２の論理チャネル）で受信されていないか、あるいは（サイドリンク受信に使用されたパラメータがラップアラウンドし得る前に）上位レイヤに引き渡されていない場合、ＵＥは、（サイドリンク受信に使用されるパラメータがラップアラウンドし得る前に）第２の論理チャネルで受信したＳＮ＝０を有するＰＤＣＰ  ＳＤＵを破棄することができる。また、ＳＮ＝０を有するＰＤＣＰ  ＰＤＵを除くＰＤＣＰ  ＰＤＵが（サイドリンク受信に使用されるパラメータがラップアラウンドし得る前に）第１の論理チャネル（および／または第２の論理チャネル）で受信されていない場合、ＵＥは、（サイドリンク受信に使用されるパラメータがラップアラウンドし得る前に）第２の論理チャネルで受信したＳＮ＝０を有するＰＤＣＰ  ＳＤＵを含むＰＤＣＰ  ＰＤＵを破棄することができる。さらに、ＵＥは、第２の論理チャネルで受信したＳＮ＝０を有するＰＤＣＰ  ＳＤＵを、このＰＤＣＰ  ＳＤＵが、（サイドリンク受信に使用されるパラメータがラップアラウンドし得る前に）第２の論理チャネルで受信したＳＮ＝０を有する真に最初のＰＤＣＰ  ＳＤＵであり、第１の論理チャネルで受信したＳＮ＝０を有するＰＤＣＰ  ＳＤＵが、（サイドリンク受信に使用されるパラメータがラップアラウンドし得る前に）上位レイヤに引き渡されている場合、破棄することができる。追加的に、ＵＥは、第２の論理チャネルで受信したＳＮ＝０を有するＰＤＣＰ  ＰＤＵを、このＰＤＣＰ  ＰＤＵが、（サイドリンク受信に使用されるパラメータがラップアラウンドし得る前に）第２の論理チャネルで受信したＳＮ＝０を有する真に最初のＰＤＣＰ  ＰＤＵであり、ＳＮ＝０を有するＰＤＣＰ  ＰＤＵが、（サイドリンク受信に使用されるパラメータがラップアラウンドし得る前に）第１の論理チャネルで受信されている場合、破棄することができる。
【００６５】
一実施形態では、ＵＥは、第２の論理チャネルでＳＮ＝０を有するＰＤＣＰ  ＳＤＵを受信したら、サイドリンク受信に使用されるパラメータを維持することができる。例えば、ＵＥは、第２の論理チャネルでＳＮ＝０を有するＰＤＣＰ  ＳＤＵを受信したら、ＰＤＣＰ  ＳＤＵのＳＮに基づいて、サイドリンク受信に使用されるパラメータを設定することができる。
【００６６】
一実施形態では、ＵＥは、第２の論理チャネルで受信されたＳＮ＝０を有するＰＤＣＰ  ＳＤＵを、第２の論理チャネルでこのＰＤＣＰ  ＳＤＵを受信しても、記憶することができない。ＳＮ＝０を有するＰＤＣＰ  ＳＤＵを除くＰＤＣＰ  ＳＤＵが第１の論理チャネル（および／または第２の論理チャネル）で受信されていないか、（サイドリンク受信に使用されるパラメータがラップアラウンドし得る前に）上位レイヤに引き渡されていない場合、ＵＥは、（サイドリンク受信に使用されるパラメータがラップアラウンドし得る前に）第２の論理チャネルで受信したＳＮ＝０を有するＰＤＣＰ  ＳＤＵを破棄することができる。また、ＳＮ＝０を有するＰＤＣＰ  ＰＤＵを除くＰＤＣＰ  ＰＤＵが、（サイドリンク受信に使用されるパラメータがラップアラウンドし得る前に）第１の論理チャネル（および／または第２の論理チャネル）で受信されていない場合、ＵＥは、（サイドリンク受信に使用されるパラメータがラップアラウンドし得る前に）第２の論理チャネルで受信したＳＮ＝０を有するＰＤＣＰ  ＳＤＵを含むＰＤＣＰ  ＰＤＵを破棄することができる。さらに、ＵＥは、第２の論理チャネルで受信したＳＮ＝０を有するＰＤＣＰ  ＳＤＵを、このＰＤＣＰ  ＳＤＵが、（サイドリンク受信に使用されるパラメータがラップアラウンドし得る前に）第２の論理チャネルで受信したＳＮ＝０を有する真に最初のＰＤＣＰ  ＳＤＵであり、第１の論理チャネルで受信したＳＮ＝０を有するＰＤＣＰ  ＳＤＵが、（サイドリンク受信に使用されるパラメータがラップアラウンドし得る前に）上位レイヤに引き渡されている場合、破棄することができる。追加的に、ＵＥは、第２の論理チャネルで受信したＳＮ＝０を有するＰＤＣＰ  ＰＤＵを、このＰＤＣＰ  ＰＤＵが、（サイドリンク受信に使用されるパラメータがラップアラウンドし得る前に）第２の論理チャネルで受信したＳＮ＝０を有する真に最初のＰＤＣＰ  ＰＤＵであり、ＳＮ＝０を有するＰＤＣＰ  ＰＤＵが、（サイドリンク受信に使用されるパラメータがラップアラウンドし得る前に）第１の論理チャネルで受信されている場合、破棄することができる。
【００６７】
一実施形態では、サイドリンク受信に使用されるパラメータは、Ｎｅｘｔ＿ＰＤＣＰ＿ＲＸ＿ＳＮ、ＲＸ＿ＨＦＮ、Ｌａｓｔ＿Ｓｕｂｍｉｔｔｅｄ＿ＰＤＣＰ＿ＲＸ＿ＳＮ、またはＣＯＵＮＴとすることができる。
【００６８】
一実施形態では、サイドリンク受信に使用されるパラメータは、ウィンドウ内でＳＮ＝０を有するＰＤＣＰ  ＳＤＵを受信する第１の時間であるかどうかを決定するために使用されるウィンドウとすることができる。例えば、ＵＥは、第１のウィンドウ内で第１の論理チャネルでＳＮ＝０を有するＰＤＣＰ  ＳＤＵを受信することができる。ＵＥは、第２の論理チャネルでＳＮ＝０を有するＰＤＣＰ  ＳＤＵを受信することができる。ＳＮ＝０を有するＰＤＣＰ  ＳＤＵが第１のウィンドウ内で第２の論理チャネルで受信される場合、ＵＥは、このＰＤＣＰ  ＳＤＵを破棄することができる（このＰＤＣＰ  ＳＤＵを上位レイヤに引き渡さない）。ＳＮ＝０を有するＰＤＣＰ  ＳＤＵが第２のウィンドウ内で第２の論理チャネルで受信される場合、ＵＥはこのＰＤＣＰ  ＳＤＵを破棄することができない（このＰＤＣＰ  ＳＤＵを上位レイヤに引き渡す）。第１のウィンドウの後に、第２のウィンドウを続けることができる。第１／第２のウィンドウのサイズ／長さは、ＰＤＣＰ  ＳＮのサイズ、例えば、ＰＤＣＰ  ＳＮの半分のサイズに基づくことができる。第１／第２のウィンドウのサイズ／長さは、Ｒｅｏｒｄｅｒｉｎｇ＿Ｗｉｎｄｏｗに基づくことができる。サイドリンクの受信に使用されるラッピングアラウンドするパラメータは、第１のウィンドウから第２のウィンドウに変更することを意味します。この解決策を図１７に示すことができる。
【００６９】
一実施形態では、サイドリンク受信に使用されるパラメータがラップアラウンドするとは、サイドリンク受信の値２Ｘ−１（すなわち、２＾Ｘ−１）に使用されるパラメータが、サイドリンク受信の値０に使用されるパラメータ未満とすることができ、Ｘはサイドリンク受信に使用されるパラメータのサイズ／長さとすることができることを意味することができる。
【表４】
2020005257.tif 000034
【表５】
2020005257.tif 000035
【表６】
2020005257.tif 000036
【表７】
2020005257.tif 000037
【表８】
2020005257.tif 000038
【表９】
2020005257.tif 000039
【表１０】
2020005257.tif 000040
【表１１】
2020005257.tif 000041
【００７０】
別の選択肢では、（受信）ＵＥは、サイドリンク受信に使用されるパラメータを条件付きで維持することができる。ＵＥは、第１の論理チャネルで（ＳＮ＝０を有する）ＰＤＣＰ  ＰＤＵを受信することができる。また、ＵＥは、第２の論理チャネルで（ＳＮ＝０を有する）ＰＤＣＰ  ＰＤＵを受信することができる。第２の論理チャネルで受信した（ＳＮ＝０を有する）ＰＤＣＰ  ＰＤＵは、第１の論理チャネルで受信した（ＳＮ＝０を有する）ＰＤＣＰ  ＰＤＵの複製とすることができる。第２の論理チャネルで受信した（ＳＮ＝０を有する）ＰＤＣＰ  ＰＤＵのＰＤＣＰ  ＳＤＵは、第１の論理チャネルで受信した（ＳＮ＝０を有する）ＰＤＣＰ  ＰＤＵのＰＤＣＰ  ＳＤＵと同じとすることができる。第１の論理チャネルは、非重複論理チャネルとすることができる。第２の論理チャネルは、重複論理チャネルとすることができる。重複論理チャネルは、非重複論理チャネルに関連付けられ得る。
【００７１】
一実施形態では、ＵＥは、第１のＰＤＣＰ  ＰＤＵが第１の論理チャネルで受信される場合、サイドリンク受信に使用されるパラメータを維持する（ことを開始する）ことができる。第１のＰＤＣＰ  ＰＤＵのＳＮは０とすることができる。例えば、サイドリンク受信に使用されるパラメータの値は、第１の論理チャネルで第１のＰＤＣＰ  ＰＤＵを受信する前は、０にすることができる。例えば、ＵＥは、第１のＰＤＣＰ  ＰＤＵが第１の論理チャネルで受信される場合に第１のＰＤＣＰ  ＰＤＵのＳＮに基づいて、あるいは第１のＰＤＣＰ  ＰＤＵを第１の論理チャネルで受信した後は第１のＰＤＣＰ  ＰＤＵのＳＮに基づいて、サイドリンク受信に使用されるパラメータを設定することができる。ＵＥは、第１の論理チャネルで第１のＰＤＣＰ  ＰＤＵを受信したら、第１のＰＤＣＰ  ＰＤＵのＳＮに基づいて、サイドリンク受信に使用されるパラメータを設定することができる。サイドリンク受信に使用するパラメータは、第１のＰＤＣＰ  ＰＤＵのＳＮ＋１（＝１）に設定することができる。ＵＥは、（サイドリンク受信に使用されるパラメータを維持して）下位レイヤから受信した第１のＰＤＣＰ  ＰＤＵを処理するために使用される手順（３ＧＰＰ  Ｒ２−１８０８９２１の第５．１．２．１．４．１項「Procedures  when  a  PDCP  PDU  is  received  from  the  lower  layers」に規定されるように）を実行する（ことを開始する）ことができる。
【００７２】
一実施形態では、ＵＥは、第２のＰＤＣＰ  ＰＤＵが第１の論理チャネルで受信される場合、サイドリンク受信に使用されるパラメータを維持することができる。第２のＰＤＣＰ  ＰＤＵのＳＮは、第１のＰＤＣＰ  ＰＤＵのＳＮと異なることができる。第２のＰＤＣＰ  ＰＤＵのＳＮは、１または第１のＰＤＣＰ  ＰＤＵのＳＮよりも大きくすることができる。例えば、サイドリンク受信に使用されるパラメータの値は、第１の論理チャネルで第２のＰＤＣＰ  ＰＤＵを受信する前は、１とすることができる。ＵＥは、第１の論理チャネルで第２のＰＤＣＰ  ＰＤＵが受信される場合に第２のＰＤＣＰ  ＰＤＵのＳＮに基づいて、第１の論理チャネルで第２のＰＤＣＰ  ＰＤＵを受信した後は第２のＰＤＣＰ  ＰＤＵのＳＮに基づいて、あるいは第１の論理チャネルで第２のＰＤＣＰ  ＰＤＵを受信したら、第２のＰＤＣＰ  ＰＤＵのＳＮに基づいて、サイドリンク受信に使用されるパラメータを設定することができる。サイドリンク受信に使用するパラメータは、第２のＰＤＣＰ  ＰＤＵのＳＮ＋１（＝２）に設定され得る。ＵＥは、（サイドリンク受信に使用されるパラメータを維持して）下位レイヤから受信した第２のＰＤＣＰ  ＰＤＵを処理するために使用される手順（３ＧＰＰ  Ｒ２−１８０８９２１の第５．１．２．１．４．１項「Procedures  when  a  PDCP  PDU  is  received  from  the  lower  layers」に規定されているように）を実行することができる。
【００７３】
第２のＰＤＣＰ  ＰＤＵのＳＮが第１のＰＤＣＰ  ＰＤＵのＳＮと同じである場合、ＵＥは、サイドリンク受信に使用されるパラメータを維持する（ことを開始する）ことができない。第２のＰＤＣＰ  ＰＤＵのＳＮは０とすることができる。例えば、サイドリンク受信に使用されるパラメータの値は、第１の論理チャネルで第２のＰＤＣＰ  ＰＤＵを受信する前は、１とすることができる。例えば、ＵＥは、第１の論理チャネルで第２のＰＤＣＰ  ＰＤＵを受信する場合に第２のＰＤＣＰ  ＰＤＵのＳＮに基づいて、第１の論理チャネルで第２のＰＤＣＰ  ＰＤＵを受信した後は第２のＰＤＣＰ  ＰＤＵのＳＮに基づいて、あるいは第１の論理チャネルで第２のＰＤＣＰ  ＰＤＵを受信したら第２のＰＤＣＰ  ＰＤＵのＳＮに基づいて、サイドリンク受信に使用されるパラメータを設定することができない。サイドリンク受信に使用されるパラメータは、第１のＰＤＣＰ  ＰＤＵのＳＮ＋１（＝１）（として維持）とすることができる。サイドリンク受信に使用されるパラメータを解放され得る。ＵＥは、（サイドリンク受信に使用されるパラメータを維持して）下位レイヤから受信した第２のＰＤＣＰ  ＰＤＵを処理するために使用される手順（３ＧＰＰ  Ｒ２−１８０８９２１の第５．１．２．１．４．１項「Procedures  when  a  PDCP  PDU  is  received  from  the  lower  layerｓ」に規定されているように）を実行することができない。代替的には、ＵＥは、（サイドリンク受信に使用されるパラメータを維持せずに）下位レイヤから受信した第２のＰＤＣＰ  ＰＤＵを処理するために使用される別の手順（３ＧＰＰ  ＴＳ  ３６．３２３の第５．１．２．１．３項「Procedures  for  DRBs  mapped  on  RLC  UM」に規定されているように）を実行することができる。
【００７４】
一実施形態では、ＵＥは、第１のＰＤＣＰ  ＰＤＵが第２の論理チャネルで受信される場合、サイドリンク受信に使用されるパラメータを維持する（ことを開始する）ことができる。第１のＰＤＣＰ  ＰＤＵのＳＮは０とすることができる。
【００７５】
一実施形態では、ＵＥは、第２のＰＤＣＰ  ＰＤＵが第２の論理チャネルで受信される場合、サイドリンク受信に使用されるパラメータを維持することができる。第２の論理チャネルで受信した第２のＰＤＣＰ  ＰＤＵのＳＮは、第２の論理チャネルで受信した第１のＰＤＣＰ  ＰＤＵのＳＮと異なることができる。第２のＰＤＣＰ  ＰＤＵのＳＮは、１または第１のＰＤＣＰ  ＰＤＵのＳＮよりも大きくすることができる。
【００７６】
一実施形態では、サイドリンク受信に使用されるパラメータは、Ｎｅｘｔ＿ＰＤＣＰ＿ＲＸ＿ＳＮまたはＲＸ＿ＨＦＮとすることができる。
【００７７】
図１４、図１５、図１６および図１７において、Ｔとは対応するイベントのタイミングを意味することができる。Ｔの数字が大きいほど、対応するイベントがより小さい数字を有するＴのイベントよりも遅く、またはそれと同時に発生することを意味することができる。
【００７８】
図１８は、ＵＥの観点からの例示的な一実施形態による、フローチャート１８００である。ステップ１８０５では、ＵＥは、サイドリンク無線ベアラのためのＰＤＣＰエンティティが確立される場合、サイドリンク送信に使用される状態変数を１に設定する。ステップ１８１０では、ＵＥは、サイドリンク無線ベアラでＰＤＣＰエンティティの真に最初のデータユニットのためのサイドリンク送信を実行し、真に最初のデータユニットのシーケンス番号が状態変数に設定される。
【００７９】
一実施形態では、ＵＥは、重複がサイドリンク無線ベアラで有効である場合、状態変数を１に設定することができる。ＵＥはまた、重複がサイドリンク無線ベアラで無効である場合、状態変数を０に設定することができる。
【００８０】
一実施形態では、ＵＥは、第１の論理チャネルおよび第２の論理チャネルを確立することができ、第１の論理チャネルおよび第２の論理チャネルは、サイドリンク無線ベアラに関連付けられる。
【００８１】
一実施形態では、ＵＥは、重複データユニットを生成することができ、重複データユニットは、真に最初のデータユニットの複製である。ＵＥはまた、サイドリンク送信のために、真に最初のデータユニットを第１の論理チャネルに、重複データユニットを第２の論理チャネルに引き渡すことができる。一実施形態では、重複データユニットはＰＤＣＰ  ＰＤＵとすることができる。
【００８２】
一実施形態では、状態変数は、Ｎｅｘｔ＿ＰＤＣＰ＿ＴＸ＿ＳＮとすることができる。シーケンス番号はＰＤＣＰシーケンス番号とすることができる。データユニットはＰＤＣＰ  ＰＤＵとすることができる。
【００８３】
図３および図４を参照すると、ＵＥの例示的な一実施形態では、デバイス３００は、メモリ３１０に記憶されているプログラムコード３１２を含む。ＣＰＵ３０８は、プログラムコード３１２を実行して、ＵＥが、（ｉ）サイドリンク無線ベアラのためのＰＤＣＰエンティティが確立される場合、サイドリンク送信に使用される状態変数を１に設定することと、（ｉｉ）サイドリンク無線ベアラでのＰＤＣＰエンティティの真に最初のデータユニットのためにサイドリンク送信を実行することであって、真に最初のデータユニットのシーケンス番号が状態変数に設定される、実行することと、を行うことを可能にすることができる。さらに、ＣＰＵ３０８は、プログラムコード３１２を実行して、上述の説明した上述のアクションおよびステップまたは本明細書で説明した他のすべてを実行することができる。
【００８４】
図１９は、ＵＥの観点からの例示的な一実施形態によるフローチャート１９００である。ステップ１９０５では、ＵＥは、無線ベアラで送信するためのデータユニットを生成し、そのデータユニットは、無線ベアラで送信される真に最初のデータユニットである。ステップ１９１０では、ＵＥは、重複が無線ベアラで有効である場合に、データユニットのシーケンス番号を第１の値に設定する。ステップ１９１５では、ＵＥは、重複が無線ベアラで無効である場合に、データユニットのシーケンス番号を第２の値に設定し、第２の値は第１の値とは異なる。
【００８５】
一実施形態では、ＵＥは、シーケンス番号を有するデータユニットを第２のＵＥに送信することができる。データユニットは、ＰＤＣＰ  ＳＤＵとすることができる。無線ベアラはサイドリンク無線ベアラである。第１の値は１または０より大きい数とすることができる。第２の値は０とすることができる。
【００８６】
一実施形態では、シーケンス番号はＰＤＣＰ  ＳＮとすることができる。シーケンス番号は、Ｎｅｘｔ＿ＰＤＣＰ＿ＴＸ＿ＳＮに基づいて設定することができる。Ｎｅｘｔ＿ＰＤＣＰ＿ＴＸ＿ＳＮは、初期的に０に設定されることができ、シーケンス番号を設定する前は、１だけインクリメントすることができる。代替的には、Ｎｅｘｔ＿ＰＤＣＰ＿ＴＸ＿ＳＮは、初期的に１に設定され得る。
【００８７】
一実施形態では、ＰＤＣＰ重複送信が設定される場合、重複が無線ベアラで有効とすることができる。さらに、無線ベアラの信頼性がしきい値以上である場合、複製が無線ベアラで有効とすることができる。
【００８８】
一実施形態では、ＰＤＣＰ重複送信が設定される場合、重複は無線ベアラで無効とすることができる。さらに、無線ベアラの信頼性がしきい値未満である場合、重複は無線ベアラで無効とすることができる。無線ベアラの信頼性はＰＰＰＲとすることができる。しきい値は、ＰＤＣＰ重複送信を設定するために使用される設定において提供され得る。
【００８９】
一実施形態では、ＵＥは、重複が無線ベアラで無効である場合に、データユニットの送信のためのＰＤＣＰ  ＰＤＵを生成することができる。ＰＤＣＰ  ＰＤＵは、非重複論理チャネルで送信され得る。
【００９０】
一実施形態では、ＵＥは、重複が無線ベアラで有効である場合、データユニットの送信のための第１のＰＤＣＰ  ＰＤＵおよびそのデータの送信のための第２のＰＤＣＰ  ＰＤＵを生成することができる。第１のＰＤＣＰ  ＰＤＵは、非重複論理チャネルで送信され得る。第２のＰＤＣＰ  ＰＤＵは、重複論理チャネルで送信され得る。
【００９１】
図３および図４に戻って参照すると、ＵＥの例示的な一実施形態において、デバイス３００は、メモリ３１０に記憶されたプログラムコード３１２を含む。ＣＰＵ３０８は、プログラムコード３１２を実行して、ＵＥが、（ｉ）無線ベアラで送信するためのデータユニットを生成することであって、データユニットは、無線ベアラで送信される真に最初のデータユニットである、生成することと、（ｉｉ）重複が無線ベアラで有効である場合、データユニットのシーケンス番号を第１の値に設定することと、（ｉｉｉ）重複が無線ベアラで重複が無効である場合、データユニットのシーケンス番号を第２の値に設定することであって、第２の値は第１の値と異なる、設定することと、を行うことを可能にすることができる。さらに、ＣＰＵ３０８は、プログラムコード３１２を実行して、上述のアクションおよびステップまたは本明細書で説明する他のすべてを実行することができる。
【００９２】
図２０は、ＵＥの観点からの例示的な一実施形態によるフローチャート２０００である。ステップ２００５では、ＵＥは、重複論理チャネルでシーケンス番号を有する第２のデータユニットを受信する。ステップ２０１０では、そのシーケンス番号を有する第１のデータユニットが非重複論理チャネルで受信されていない場合、ＵＥは、第２のデータユニットを上位レイヤに引き渡す。ステップ２０１５では、そのシーケンス番号を有する第１のデータユニットが非重複論理チャネルで受信されている場合、ＵＥは、第２のデータユニットを上位レイヤに引き渡さない。
【００９３】
一実施形態では、第１のデータユニットは第２のＵＥから受信されることができ、第２のデータユニットは第２のＵＥから受信されることができる。シーケンス番号は０とすることができる。また、シーケンス番号はＰＤＣＰ  ＳＮとすることができる。第１のデータユニットは第１のＰＤＣＰ  ＳＤＵとすることができ、第２のデータユニットは第２のＰＤＣＰ  ＳＤＵとすることができる。一実施形態では、第１のデータユニットは、第２のデータユニットと同じとすることができる。
【００９４】
一実施形態では、上位レイヤは、第１のＵＥのＰＤＣＰレイヤの上にあるレイヤとすることができる。上位レイヤは、ＩＰレイヤまたはアプリケーションレイヤとすることができる。
【００９５】
図３および図４に戻って参照すると、ＵＥの例示的な一実施形態では、デバイス３００は、メモリ３１０に記憶されたプログラムコード３１２を含む。ＣＰＵ３０８は、プログラムコード３１２を実行して、ＵＥが、（ｉ）重複論理チャネルでシーケンス番号を有する第２のデータユニットを受信することと、（ｉｉ）そのシーケンス番号を有する第１のデータユニットが非重複論理チャネルで受信されていない場合、第２のデータユニットを上位レイヤに引き渡すことと、（ｉｉｉ）そのシーケンス番号を有する第１のデータユニットが非重複論理チャネルで受信されている場合、第２のデータユニットを上位レイヤに引き渡さないことと、を行うことを可能にすることができる。さらに、ＣＰＵ３０８は、プログラムコード３１２を実行して、上述のアクションおよびステップまたは本明細書で説明する他のすべてを実行することができる。
【００９６】
図２１は、ＵＥの観点からの例示的な一実施形態によるフローチャート２１００である。ステップ２１０５では、ＵＥは、第１のシーケンス番号を有する第１のデータユニットを受信する。ステップ２１１０では、ＵＥは、第１のデータユニットを処理するための第１の手順を実行する。ステップ２１１５では、ＵＥは、第２のシーケンス番号を有する第２のデータユニットを受信する。ステップ２１２０では、ＵＥは、第２のシーケンス番号が第１のシーケンス番号と異なる場合、第２のデータユニットを処理するための第１の手順を実行する。ステップ２１２５では、ＵＥは、第２のシーケンス番号が第１のシーケンス番号と同じである場合、第２のデータユニットを処理するための第２の手順を実行する。
【００９７】
一実施形態では、第１のデータユニットを処理するために使用される第１の手順は、第１のシーケンス番号に基づいて受信に使用されるパラメータを更新することができる。第１のシーケンス番号はゼロ（０）とすることができる。第２のデータユニットを処理するために使用される第１の手順は、第２のシーケンス番号が第１のシーケンス番号と異なる場合、第２のシーケンス番号に基づいて受信に使用されるパラメータを更新することができる。第２のシーケンス番号はゼロ（０）より大きくすることができる。
【００９８】
一実施形態では、第２のシーケンス番号が第１のシーケンス番号と同じである場合、第２のデータユニットを処理するために使用される第２の手順は、第２のシーケンス番号に基づいて受信に使用されるパラメータを更新しなくてもよい。第２のシーケンス番号はゼロ（０）とすることができる。
【００９９】
一実施形態では、第１のデータユニットは、非重複論理チャネルで受信され得る。第２のデータユニットは、非重複論理チャネルで受信され得る。特に、第１のデータユニットは第２のＵＥから受信されることができ、第２のデータユニットは第２のＵＥから受信され得る。
【０１００】
一実施形態では、第１のデータユニットはＰＤＣＰ  ＳＤＵとすることができ、第２のデータユニットはＰＤＣＰ  ＳＤＵとすることができる。第１のデータユニットは、非重複論理チャネルで受信された真に最初のデータユニットとすることができ、第２のデータユニットは、非重複論理チャネルで受信された真に最初のデータユニットとしなくてもよい。
【０１０１】
一実施形態では、第１のシーケンス番号はＰＤＣＰ  ＳＮとすることができ、第２のシーケンス番号はＰＤＣＰ  ＳＮとすることができる。受信に使用されるパラメータは、Ｎｅｘｔ＿ＰＤＣＰ＿ＲＸ＿ＳＮとすることができる。
【０１０２】
一実施形態では、ＵＥは、受信に使用されるパラメータを第１のシーケンス番号＋１に設定することができる。代替的には、第２のシーケンス番号が第１のシーケンス番号と異なる場合、ＵＥは受信に使用されるパラメータを第２のシーケンス番号＋１に設定することができる。追加的に、第２のシーケンス番号が第１のシーケンス番号と同じである場合、ＵＥは受信に使用されるパラメータを第２のシーケンス番号＋１に設定しなくてもよい。
【０１０３】
一実施形態では、非重複論理チャネルは重複論理チャネルに関連付けられ得る。
【０１０４】
図３および図４に戻って参照すると、ＵＥの例示的な一実施形態では、デバイス３００は、メモリ３１０に記憶されたプログラムコード３１２を含む。ＣＰＵ３０８は、プログラムコード３１２を実行して、ＵＥが、（ｉ）第１のシーケンス番号を有する第１のデータユニットを受信することと、（ｉｉ）第１のデータユニットを処理するための第１の手順を実行することと、（ｉｉｉ）第２のシーケンス番号を有する第２のデータユニットを受信することと、（ｉｖ）第２のシーケンス番号が第１のシーケンス番号と異なる場合、第２のデータユニットを処理するための第１の手順を実行することと、（ｖ）第２のシーケンス番号が第１のシーケンス番号と同じである場合、第２のデータユニットを処理するための第２の手順を実行することと、を行うことを可能にすることができる。さらに、ＣＰＵ３０８は、プログラムコード３１２を実行して、上述のアクションおよびステップまたは本明細書で説明する他のすべてを実行することができる。
【０１０５】
以上、本開示の種々の態様を説明した。当然のことながら、本明細書の教示内容を多種多様な形態で具現化することができ、本明細書に開示されている如何なる特定の構造、機能、または両者も代表的なものに過ぎない。本明細書の教示内容に基づいて、当業者には当然のことながら、本明細書に開示される態様は、他の如何なる態様からも独立に実装されることができ、これら態様のうちの２つ以上を種々組み合わせることができる。例えば、本明細書に記載された態様のうちの任意の数の態様を用いて、装置を実装することができ、方法を実現することができる。追加的に、本明細書に記載された態様のうちの１つ以上の追加または代替で、他の構造、機能、または構造と機能を用いて、このような装置を実装することができ、このような方法を実現することができる。上記概念の一部の一例として、いくつかの態様においては、パルス繰り返し周波数に基づいて、同時チャネルを確立することができる。いくつかの態様においては、パルス位置またはオフセットに基づいて、同時チャネルを確立することができる。いくつかの態様においては、時間ホッピングシーケンスに基づいて、同時チャネルを確立することができる。いくつかの態様においては、パルス繰り返し周波数、パルス位置またはオフセットおよび時間ホッピングシーケンスに基づいて、同時チャネルを確立することができる。
【０１０６】
当業者であれば、多様な異なるテクノロジおよび技術のいずれかを使用して、情報および信号を表わしてよいを理解するであろう。例えば、上記説明全体で言及されることがあるデータ、命令、コマンド、情報、信号、ビット、シンボル、およびチップは、電圧、電流、電磁波、磁場若しくは粒子、光場若しくは粒子、またはこれらの任意の組み合わせによって表わしてよい。
【０１０７】
さらに、当業者には当然のことながら、本明細書に開示された態様に関連して説明した種々の例示的な論理ブロック、モジュール、プロセッサ、手段、回路、およびアルゴリズムステップは、電子的ハードウェア（例えば、ソースコーディングまたはその他何らかの技術を用いて設計することがあるディジタル実装、アナログ実装、またはこれら２つの組み合わせ）、命令を含む種々の形態のプログラム若しくは設計コード（本明細書においては便宜上、「ソフトウェア」または「ソフトウェアモジュール」と称されることがある）、または両者の組み合わせとして実装されてよい。このハードウェアおよびソフトウェアの互換性を明確に示すため、種々の例示的な構成要素、ブロック、モジュール、回路、およびステップを、概略的にそれぞれの機能の側面から上述した。そのような機能がハードウェアとして実装されるか、ソフトウェアとして実装されるかは、特定用途およびシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【０１０８】
追加的に、本明細書に開示される態様に関連して説明した種々の例示的な論理ブロック、モジュール、および回路は、集積回路（「ＩＣ」）、アクセス端末、またはアクセスポイント内で実装される、あるいはこれらによって実行されてよい。ＩＣとしては、汎用プロセッサ、ディジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、または本明細書で説明した機能を実行するように設計されたこれらの任意の組み合わせを含み、ＩＣ内、ＩＣ外、またはその両方に存在するコードまたは命令を実行してよい。汎用プロセッサは、マイクロプロセッサとしてよいが、代替として、プロセッサは、従来の任意のプロセッサ、コントローラ、マイクロコントローラ、または状態機械としてよい。また、プロセッサは、ＤＳＰとマイクロプロセッサとの組み合わせ、複数のマイクロプロセッサ、ＤＳＰコアと協働する１つ以上のマイクロプロセッサ、またはその他任意のこのような構成である、コンピュータデバイスの組み合わせとして実装されてよい。
【０１０９】
任意の開示プロセスにおけるステップの如何なる特定の順序または階層は、実例的な手法の一例であることが了解される。設計の選好に基づいて、プロセスにおけるステップの特定の順序または階層を、本開示の範囲内に留まりつつ、再構成してよいことが了解される。添付の方法の請求項は、種々のステップの要素を実例的な順序で示しており、提示の特定順序または階層に限定されることを意図していない。
【０１１０】
本明細書に開示される態様に関連して記載された方法またはアルゴリズムのステップを、ハードウェアにおいて直接具現化してよく、プロセッサにより実行されるソフトウェアモジュールにおいて具現化してよく、これら２つの組み合わせにおいて具現化してよい。（例えば、実行可能な命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、または当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出しおよび記憶媒体への情報の書き込みが可能である。実例的な記憶媒体は、プロセッサと一体化されてよい。プロセッサおよび記憶媒体は、ＡＳＩＣに存在してよい。ＡＳＩＣは、ユーザ機器に存在していてもよい。代替として、プロセッサおよび記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【０１１１】
以上、種々の態様に関連して本発明を説明したが、本発明は、さらに改良可能であることが了解される。本願は、概して本発明の原理に従うと共に、本発明が関係する技術分野における既知で慣習的な実施となるような本開示からの逸脱を含む本発明の任意の変形、使用、または適応を網羅することを意図している。
【図１】
2020005257.tif 000042
【図２】
2020005257.tif 000043
【図３】
2020005257.tif 000044
【図４】
2020005257.tif 000045
【図５】
2020005257.tif 000046
【図６】
2020005257.tif 000047
【図７】
2020005257.tif 000048
【図８】
2020005257.tif 000049
【図９】
2020005257.tif 000050
【図１０】
2020005257.tif 000051
【図１１】
2020005257.tif 000052
【図１２】
2020005257.tif 000053
【図１３】
2020005257.tif 000054
【図１４】
2020005257.tif 000055
【図１５】
2020005257.tif 000056
【図１６】
2020005257.tif 000057
【図１７】
2020005257.tif 000058
【図１８】
2020005257.tif 000059
【図１９】
2020005257.tif 000060
【図２０】
2020005257.tif 000061
【図２１】
2020005257.tif 000062
【外国語明細書】
2020005257000001.pdf